(57)【要約】【課題】  装飾部材の外観を損なうことなく、強固に壁面に取り付けることができる壁装飾部材の取付構造を提供する。【解決手段】  留め付け支柱１に固着具２を通す固定用孔３を挿通して設けると共に嵌合突部４を突出させて設ける。固定用孔３に通した固着具２を家屋の壁面５に固着することによって留め付け支柱１を壁面に固定する。装飾部材６の背面に開口して設けた嵌合凹部７を留め付け支柱１の嵌合突部４に嵌合すると共に留め付け支柱１に装飾部材６を接着する。装飾部材６は留め付け支柱１によって壁面５に取り付けられるものであり、留め付け支柱１を壁面５に固着する固着具２や固定用孔３は装飾部材６の裏側に隠れて目立つことがなくなる。また嵌合突部４と嵌合凹部７の嵌合と、留め付け支柱１と装飾部材６の接着とを併用して留め付け支柱１に装飾部材６を強固に固着することができる。【選択図】  図１
2006037513.tif 000002
【特許請求の範囲】
【請求項１】
留め付け支柱に固着具を通す固定用孔を挿通して設けると共に嵌合突部を突出させて設け、固定用孔に通した固着具を家屋の壁面に固着することによって留め付け支柱を壁面に固定し、装飾部材の背面に開口して設けた嵌合凹部を留め付け支柱の嵌合突部に嵌合すると共に留め付け支柱に装飾部材を接着して成ることを特徴とする壁装飾部材の取付構造。
【請求項２】
留め付け支柱の上部に固定用孔を、下部に嵌合突部をそれぞれ配置して設けて成ることを特徴とする請求項１に記載の壁装飾部材の取付構造。
【請求項３】
装飾部材に固着用孔を設け、固着用孔を通した固着具を壁面に固着することによって、この固着具と上記留め付け支柱とで装飾部材を壁面に取り付けて成ることを特徴とする請求項１又は２に記載の壁装飾部材の取付構造。
【請求項４】
装飾部材に設けた固着用孔の外面側の開口部に、キャップ具を嵌め込んで取り付けて成ることを特徴とする請求項３に記載の壁装飾部材の取付構造。
【発明の詳細な説明】
【技術分野】
【０００１】
本発明は、妻飾りなど、壁を装飾する装飾部材を壁面に取り付けるための構造に関するものである。
【背景技術】
【０００２】
図７に示すように、家屋の妻側の外壁の壁面５に妻飾りとして装飾部材６を取り付けることが行なわれている。図８は壁面５に装飾部材６を取り付ける工法の一例を示すものであり、装飾部材６にビス孔１３を設け、ビスなどの固着具２をこのビス孔１３に通して壁面５にねじ込み固着することによって、壁面５に装飾部材６を取り付けるようにしてある。このように壁面５に装飾部材６を取り付けるにあたっては、ビスなどの固着具２を用いるのが一般的である（例えば、特許文献１等参照）。
【０００３】
しかしこのようにビスなどの固着具２を用いて装飾部材６の取り付けを行なう場合、ビス孔１３や固着具２の頭が装飾部材６の表面で目立ち、特に経年変化でビス孔１３に汚れが溜まると、装飾部材６の外観を損なうおそれがあるという問題があった。
【０００４】
そこで、固着具２やビス孔１３によるこのような問題をなくすために、装飾部材６を接着剤で壁面５に接着することによって、壁面５に装飾部材６を取り付けることも考えられているが、接着剤は固着強度に問題があり、装飾部材６を長期間に亘って安定して壁面５に強固に固定するのが難しいという問題があった。
【特許文献１】特開２００３−２５７９７号公報
【発明の開示】
【発明が解決しようとする課題】
【０００５】
本発明は上記の点に鑑みてなされたものであり、装飾部材の外観を損なうことなく、強固に壁面に取り付けることができる壁装飾部材の取付構造を提供することを目的とするものである。
【課題を解決するための手段】
【０００６】
本発明の請求項１に係る壁装飾部材の取付構造は、留め付け支柱１に固着具２を通す固定用孔３を挿通して設けると共に嵌合突部４を突出させて設け、固定用孔３に通した固着具２を家屋の壁面５に固着することによって留め付け支柱１を壁面に固定し、装飾部材６の背面に開口して設けた嵌合凹部７を留め付け支柱１の嵌合突部４に嵌合すると共に留め付け支柱１に装飾部材６を接着して成ることを特徴とするものである。
【０００７】
この発明によれば、装飾部材６は留め付け支柱１によって壁面５に取り付けられるものであり、留め付け支柱１を壁面５に固着する固着具２や固定用孔３は装飾部材６の裏側に隠れて目立つことがなく、装飾部材６の外観を損なうことなく壁面５に取り付けることができると共に、嵌合突部４と嵌合凹部７を嵌合した状態で留め付け支柱１に装飾部材６を接着することによって、嵌合と接着の併用で留め付け支柱１に装飾部材６を強固に固着することができ、留め付け支柱１を介して装飾部材６を壁面５に強固に取り付けることができるものである。
【０００８】
また請求項２の発明は、請求項１において、留め付け支柱１の上部に固定用孔３を、下部に嵌合突部４をそれぞれ配置して設けて成ることを特徴とするものである。
【０００９】
この発明によれば、固定用孔３に固着具２を通して壁面５に打ち付けて壁面５に留め付け支柱１を固定するにあたって、固着具２を中心にして留め付け支柱１が回動しても、その重心との関係から、常に嵌合突部４が固定用孔３の下方に位置する姿勢で留め付け支柱１は固定されるものであり、固定用孔３に対して嵌合突部４の位置が常に一定になり、嵌合突部４に嵌合凹部７を嵌合させることによって位置決めされる装飾部材６の取り付け位置が所定位置からずれることがなくなるものである。
【００１０】
また請求項３の発明は、請求項１又は２において、装飾部材６に固着用孔８を設け、固着用孔８を通した固着具２を壁面５に固着することによって、この固着具２と上記留め付け支柱１とで装飾部材６を壁面５に取り付けるようにして成ることを特徴とするものである。
【００１１】
この発明によれば、装飾部材６を留め付け支柱１の他にビス等の固着具２によっても壁面５に固定することができ、装飾部材６の取付強度を高く得ることができるものである。
【００１２】
また請求項４の発明は、請求項１乃至３のいずれかにおいて、装飾部材６に設けた固着用孔８の外面側の開口部に、キャップ具９を嵌め込んで取り付けて成ることを特徴とするものである。
【００１３】
この発明によれば、装飾部材６の固着用孔８の開口や固着具２の頭をキャップ具９で隠すことができ、固着具２や固着用孔８で装飾部材６の外観を損なうことを防ぐことができるものである。
【発明の効果】
【００１４】
本発明によれば、装飾部材６は留め付け支柱１によって壁面５に取り付けられるものであり、留め付け支柱１を壁面５に固着する固着具２や固定用孔３は装飾部材６の裏側に隠れて目立つことがなく、装飾部材６の外観を損なうことなく壁面５に取り付けることができるものである。また、嵌合突部４と嵌合凹部７を嵌合した状態で留め付け支柱１に装飾部材６を接着することによって、嵌合と接着の併用で留め付け支柱１に装飾部材６を強固に固着することができるものであり、留め付け支柱１を介して装飾部材６を壁面５に強固に取り付けることができるものである。
【発明を実施するための最良の形態】
【００１５】
以下、本発明を実施するための最良の形態を説明する。
【００１６】
図１は本発明の実施の形態の一例を示すものであり、妻飾り等として使用される装飾部材６を三本の縦材１５と、この三本の縦材１５を上部で連結する一本の横材１６とから形成してある。この三本の縦材１５において、中央の縦材１５の下部と、左右の縦材１５の上部にそれぞれ、その背面に開口する円柱穴形状の嵌合凹部７が凹設してある。また左右の縦材１５の下部には背方へ突出する支持突部１７が突設してある。
【００１７】
留め付け支柱１は、図２に示すように、縦断面が略楕円形の柱状に形成されるものであり、前後方向に貫通する固定用孔３が穿設してある。また留め付け支柱１の前面には円柱状の嵌合突部４が突設してある。固定用孔３は留め付け支柱１の上部に、嵌合突部４は留め付け支柱１の下部にそれぞれ設けてあり、従って、固定用孔３は留め付け支柱１の重心より上側に、嵌合突部４は留め付け支柱１の重心より下側に位置している。
【００１８】
この留め付け支柱１を用いて装飾部材６を家屋の妻側の外壁などの壁面５に取り付けるにあたっては、まず、ビスなどの固着具２を固定用孔３に通して壁面５にねじ込み固着することによって、留め付け支柱１を壁面５に固定する。留め付け支柱１は装飾部材６に設けた嵌合凹部７の数及び位置に合わせて壁面５に固定されるものである。また留め付け支柱１を固着具２で壁面５に固定する際に、固定用孔３に通した固着具２を中心にして留め付け支柱１は上下方向に回動し易いが、上記のように固定用孔３は留め付け支柱１の上部に、嵌合突部４は留め付け支柱１の下部に設けてあるので、留め付け支柱１の重心との関係から、常に嵌合突部４が固定用孔３の真下に位置するように回動した姿勢で留め付け支柱１は固定されるものである。そして装飾部材６の各嵌合凹部７を壁面５に固定した各留め付け支柱１の嵌合突部４に被挿して嵌合し、装飾部材６と留め付け支柱１とを接着剤で接着する。接着剤は図２に斜線で示すように、留め付け支柱１の前面及び嵌合突部４の外面に塗布されるものであり、嵌合突部４に嵌合凹部７を嵌合した状態で留め付け支柱１の前面に装飾部材６を取り付けることによって、接着剤で装飾部材６を留め付け支柱１に接着することができるものである。このとき、左右の縦材１５の下部の支持突部１７は先端が壁面５に当接している。
【００１９】
このようにして、装飾部材６を留め付け支柱１によって壁面５に取り付けることができるものである。尚、図１の実施の形態では、壁面５から装飾部材６の各縦材１５までの距離に応じて厚みの異なる複数種の留め付け支柱１を用いるようにしている。そして、留め付け支柱１を壁面５に固着する固着具２や、留め付け支柱１に設けた固定用孔３は、装飾部材６の裏側に隠れて外部に見えないようにすることができるものであり、固着具２や固定用孔３で装飾部材６の外観を損なうようなことがなくなるものである。また留め付け支柱１はビス等の固着具２で壁面５に強固に固着されていると共に、装飾部材６は嵌合突部４に嵌合凹部７を嵌合した状態で留め付け支柱１に接着剤で接着されていて、嵌合と接着の併用で留め付け支柱１に強固に固着されているので、留め付け支柱１を介して装飾部材６を壁面５に強固に取り付けることができるものである。
【００２０】
また上記のように、各留め付け支柱１は、常に嵌合突部４が固定用孔３に対して真下の一定の位置に配置されるように壁面５に固定されているので、嵌合突部４に嵌合凹部７を嵌合させることによって所定の位置に位置決めした状態で装飾部材６の取り付けを行なうことができるものであり、装飾部材６の取付位置が所定の設定位置からずれたりするようなことがなくなるものである。
【００２１】
図３及び図４は本発明の他の実施の形態を示すものであり、装飾部材６としては図１のものと同様に、三本の縦材１５と一本の横材１６とから形成したものを用いるようにしてある。そして三本の縦材１５のうち、中央の縦材１５の下部にその背面で開口する円柱穴形状の嵌合凹部７を凹設すると共に、左右の縦材１５の下部には背方へ突出する支持突部１７が突設してある。また横材１６の両端には前後方向に貫通する固着用孔８が穿設してある。
【００２２】
このように形成される装飾部材６を家屋の妻側の外壁などの壁面５に取り付けるにあたっては、まず上記と同様に、ビスなどの固着具２を固定用孔３に通して壁面５にねじ込み固着することによって留め付け支柱１を壁面５に固定する。このとき上記のように、嵌合突部４が固定用孔３の真下に位置する姿勢で留め付け支柱１は壁面５に固定される。次に、留め付け支柱１の前面及び嵌合突部４の外面に塗布した後、装飾部材６の嵌合凹部７を壁面５に固定した留め付け支柱１の嵌合突部４に被挿して嵌合し、装飾部材６の位置決めを行なう。ここで、横材１６の両端は図４（ｂ）のように壁面５の側へ屈曲しており、装飾部材６の嵌合凹部７を留め付け支柱１の嵌合突部４に嵌合して位置決めすると、固着用孔８を設けた横材１６の両端は壁面５に接するようになっている。そして固着用孔８にビス等の固着具２を通して壁面５に固着具２をねじ込んで固着させることによって、横材１６の両端を壁面５に固着することができる。
【００２３】
このようにして、装飾部材６を留め付け支柱１で位置決めした状態で、留め付け支柱１とビス等の固着具２によって壁面５に固定することができるものであり、固着具２の併用によって装飾部材６の取付強度を高く得ることができるものである。
【００２４】
また上記のように装飾部材６に設けた固着用孔８にビス等の固着具２を通して壁面５に固定するにあたって、固着用孔８の装飾部材６の外面での開口部は大径部１８として形成してあり、図３（ｂ）のように固着具２を固着用孔８に通して壁面５にねじ込み固着した後、固着用孔８の大径部１８にキャップ具９を嵌め込んで接着剤で接着し、固着用孔８の開口をキャップ具９で塞ぐようにしてある。キャップ具９は装飾部材６と同材質や同色に形成するのが好ましい。このように固着用孔８の開口をキャップ具９で塞ぐことによって、固着用孔８の開口が目立たないようにすることができると共に固着具２の頭をキャップ具９で隠すことができるものであり、固着具２や固着用孔８で装飾部材６の外観を損なうことを防ぐことができるものである。
【００２５】
図５及び図６の実施の形態では、装飾部材６を、中央縦材２０とその両側の略Ｃ字状に屈曲する屈曲材２１とから形成するようにしてある。そして中央縦材２０の上部にその背面で開口する円柱穴形状の嵌合凹部７を凹設すると共に、下部に背方へ突出する支持突部１７が突設してある。また各屈曲材２１の先端部には前後方向に貫通する固着用孔８が穿設してある。この装飾部材６は、上記の図３及び図４の場合と同様にして、留め付け支柱１及び固着具２を用いて、壁面５に取り付けることができるものである。
【図面の簡単な説明】
【００２６】
【図１】本発明の実施の形態の一例を示す分解斜視図である。
【図２】同上の留め付け支柱の一例を示す拡大斜視図である。
【図３】本発明の他の実施の形態を示すものであり、（ａ）は分解斜視図、（ｂ）は一部の拡大した断面図である。
【図４】同上の実施の形態を示すものであり、（ａ）は正面図、（ｂ）は平面断面図、（ｃ）は側面断面図である。
【図５】本発明のさらに他の実施の形態を示す分解斜視図である。
【図６】同上の実施の形態を示すものであり、（ａ）は正面図、（ｂ）は平面断面図、（ｃ）は側面断面図である。
【図７】家屋の外壁に装飾部材を取り付けた状態を示す斜視図である。
【図８】従来例を示す分解斜視図である。
【符号の説明】
【００２７】
１  留め付け支柱
２  固着具
３  固定用孔
４  嵌合突部
５  壁面
６  装飾部材
７  嵌合凹部
８  固着用孔
９  キャップ具
【図１】
2006037513.tif 000003
【図２】
2006037513.tif 000004
【図３】
2006037513.tif 000005
【図４】
2006037513.tif 000006
【図５】
2006037513.tif 000007
【図６】
2006037513.tif 000008
【図７】
2006037513.tif 000009
【図８】
2006037513.tif 000010